(57)【要約】【課題】従来の正多面体サイコロには次の欠点があった。サイコロに数字や文章を記入してゲーム、余興、パーテイ及び記憶物として利用する場合、面の数しか表現出来なかった。【解決手段】底板の４方向に垂直を持った垂直板を設け上面に底板と平行な上面板を設け、隙間を設けた表現容器をサイコロの各面に固定し、一方上面に透明な上面透明板、下面に下面透明板間に薄板又はボール状の移動体を入れた透明ケースを構成し区切り線により複数に分割し、数字及び文章を区切り線間に記入したカードの上側にこの透明ケースを表現容器の隙間に設置する事によるサイコロに取付る表現容器【選択図】図１
2014030684.tif 000002
【特許請求の範囲】
【請求項１】
上面に透明な上面透明板（８）下面に下面透明板（９）間に薄板又はボール状の移動体（１０）を入れた透明ケース（１１）を構成し区切り線（１４）により複数に分割し、数字及び文章（１３）を区切り線（１４）間に記入したカード（１２）の上側にこの透明ケース（１１）を設置した表現容器（６）をサイコロ（７）に取付る表現容器．
【請求項２】
底板（１）の４方向に垂直を持った垂直板（２）を設け上面に底板（１）と平行な上面板（３）を設け、隙間（４）を設けた表現容器（６）をサイコロ（７）の各面に固定し、この表現容器（６）にカード（１２）の上側に取付けたこの透明ケース（１１）を設置する事によるサイコロに取付る表現容器
【請求項３】
正６面体のサイコロ（７）の場合  数字及び文章（１３）を区切り線（１４）により分割し、２分割ならば１〜１２、３分割ならば１〜１８等の分割数に６倍した数字及び文章（１３）を記入したカード（１２）の上に透明ケース（１１）を設置する事によるサイコロに取付る表現容器
【請求項４】
重り（１６）を設けた半球面形状容器（１５）の上面に表現容器（６）を取付上面透明板（８）下面に下面透明板（９）間に薄板又はボール状の移動体（１０）を入れた透明ケース（１１）及び数字及び文章（１３）を区切り線（１４）により中心より放斜線状に区切ったカード（１２）をそれぞれの表現容器（６）に取付る事によるサイコロに取付る表現容器
【請求項５】
底板（１）の中心部より垂直方向に垂直凸起（１９）を上面板（３）より高い位置に設け、更に中心部に穴（２０）を持った透明ケース（１１）及びカード（１２）を表現容器（６）に取付る事によるサイコロに取付る表現容器
【請求項６】
底板（１）より上面に設けた上面板（３）上に平行に平行凸起（１８）を設けこれに同じ方向の区切り線（１４）を入れたカード（１２）を表現容器（６）に取付る事によるサイコロに取付る表現容器
【発明の詳細な説明】
【技術分野】
【０００１】本発明のサイコロは従来のサイコロに比べ何倍の種類の数字及び文章の表現を実現する為の容器である。
【背景技術】
【０００２】従来のサイコロは同じ面の数しか数字及び文章を表現出来なかった。
【発明の概要】
【発明が解決しようとする課題】
【０００３】従来の正多面体サイコロには次の欠点があった。
サイコロに数字や文章を記入してゲーム、余興、パーテイ及び記憶物として利用する場合、面の数しか表現出来なかった。
【課題を解決するための手段】
【０００４】（イ）上記の問題点を解決する為、底板（１）の４方向に垂直を持った垂直板（２）を設け、上面に底板（１）と平行な上面板（３）を設け、隙間（４）を設ける。
（ロ）透明ケース（１１）の上面に上面透明板（８）下面に下面透明板（９）を設け，この間に移動体（１０）を入れる。
本図では透明ケース（１１）を薄くする為薄板の移動体（１０）を使用したがボール状の移動体（１０）でも良い。
（ハ）図６に示したカード（１２）は４等分に区切り線（１４）を入れ、数字及び文章（１３）を記入した例でサイコロ（７）が正６面体ならば１〜２４種類の数字及び文章（１３）を表現出来る。
（ニ）図７に示したカード（１２）は２等分に区切り線（１４）を入れると１〜１２種類の数字及び文章（１３）を表現出来る。
（ホ）図８に示したカード（１２）は８等分に区切り線（１４）を入れると１〜４８種類の数字及び文章（１３）を表現出来る。
（ヘ）図１に示す様に正６面体のサイコロ（７）に固定用板（５）にクギ、リベット、接着又は溶着にて表現容器（６）を６面に固定する。
隙間（４）にカード（１２）を入れ、その上に透明ケース（１１）を６面入れる。
サイコロ（７）を転がすと上面の表現容器（６）の移動体（１０）の位置が答えになり本図では１番が答えになる。
（ト）図９は透明ケース（１１）を表現容器（６）に固定した場合でカード（１２）を透明ケース（１１）とサイコロ（７）間に差し込む事による断面図である
（チ）図１１は下面透明板（９）に隙間（４）を持った差し込み部（１７）を複数設け、この隙間（４）にカード（１２）を差し込む事による斜視図である
（リ）図１０は半球面形状容器（１５）の底部に重り（１６）を固定し上面に表現容器（６）を取り付け、カード（１２）を差し込み、更に透明ケース（１１）を差し込む事になる断面図であり、図１８のカード（１２）を使用する。
（ヌ）図１３は上面板（３）の左右に平行凸起（１８）を設けた斜視図であり、この場合水平線に対して左右どちらかに傾斜するがこの場合使用するカード（１２）は図７の２分割のカード又は図１４の十文字形状に区切り線（１４）を入れたカード（１２）を使用する。
（ル）図１５は底板（１）の中心部より垂直方向に垂直凸起（１９）を上面板（３）より高い位置に設け、更に透明ケース（１１）の中心部に穴（２０）を設け、使用するカード（１２）も図１７の様に中心部に穴（２０）を設ける。
【発明の効果】
【０００５】その結果、次の効果が生じる．
（イ）図７に示す２等分に区切り線（１４）を入れた場合は１〜１２種類の数字及び文章（１３）を表現出来る。
（ロ）図６に示す４等分に区切り線（１４）を入れた場合は１〜２４種類の数字及び文章（１３）を表現出来る。
（ハ）図８に示す８等分に区切り線（１４）を入れた場合は１〜４８種類の数字及び文章（１３）を表現出来る。
（ニ）その他６等分に区切り線（１４）を入れた場合は１〜３６種類の数字及び文章（１３）を表現出来る。
（ホ）図１０に示す様に底部に重り（１６）を設けた半球面形状容器（１５）の上面に表現容器（６）を取り付ければ、起き上がりコブシの原理で移動体（１０）が左右自在に移動し、透明ケース（１１），カード（１２）も１枚で済図１８に示す様にの中心より放斜線状に区切り線（１４）を入れる。
（ヘ）図１３に示す平行凸起（１８）を左右に設けると一方向のみサイコロ（７）が傾斜するので移動体（１０）が一方向のみ動作する。
（ト）図１５に示す様に垂直凸起（１９）を設けると４方向に傾斜する為移動体（１０）が良く動作しやすくなる。
（チ）以上述べたようにカード（１２）の区切り線（１４）及び数字及び文章（１３）を変えれば希望の種類のサイコロを実現出来る。
【図面の簡単な説明】
【０００６】
【図１】本発明の表現容器をサイコロに取り付けた使用斜視図である。
【図２】本発明の表現容器斜視図である。
【図３】本発明の表現容器の断面図である。
【図４】本発明の透明ケースの斜視図である。
【図５】本発明の透明ケースの断面図である。
【図６】本発明の４分割のカードの斜視図である。
【図７】本発明の２分割のカードの斜視図である。
【図８】本発明の８分割のカードの斜視図である。
【図９】本発明の透明ケースを表現容器に固定した断面図である。
【図１０】本発明の表現容器を半球面形状容器に取り付けた応用例図である。
【図１１】本発明の透明ケースの下面透明板に差し込み部を設けた図である。
【図１２】透明ケースの下面透明板に差し込み部を設けた断面図である。
【図１３】本発明の表現容器の上面板に平行凸起を設けた斜視図である。
【図１４】本発明の十文字分割のカードの斜視図である。
【図１５】本発明の表現容器の底板より垂直凸起を設けた斜視図である。
【図１６】本発明の透明ケースの中心部に穴を設けた斜視図である。
【図１７】本発明のカードの中心部に穴を設けた斜視図である。
【図１８】カードの中心より放斜線状の区切り線を設けたカードの図。
【発明を実施するための形態】
【０００７】以下本発明の実施の形態を説明する。
（イ）図２に示す表現容器（６）をサイコロ（７）の６面に固定用板（５）にクギ、リベットを用いるか、接着又は溶着にて固定する。
（ロ）カード（１２）には区切り線（１４）により区切りこの間に数字及び文章（１３）するが正６面体のサイコロ（７）の場合はそれぞれ２等分は（１〜１２），３等分は（１〜１８）、４等分は（１〜２４）、５等分は（１〜３０）、６等分は（１〜３６）、８等分は（１〜４８）、１０等分は（１〜６０）の数字及び文章（１３）を記入出来る。
（ハ）透明ケース（１１）の上面に上面透明板（８）下面に下面透明板（９）を設け薄板又はボール状の移動体（１０）を入れる。
（ニ）図１の様にカード（１２）を隙間（４）に差し込み次に透明ケース（１１）を６面に差し込みサイコロ（７）を転がすと上面の表現容器（６）の移動体（１０）が移動し、止まった位置を確認すると１の数字及び文章（１３）の区切り線（１４）にあるので答えが１である。
（ホ）図９は透明ケース（１１）が表現容器（６）に固定されているのでカード（１２）を差し込めば良い。
（ヘ）図１０は起き上がりコブシの原理で半球面形状容器（１５）が揺れると移動体（１０）が複雑な動きをするので良い、この場合透明ケース（１１）及びカード（１２）はそれぞれ１枚で良い。
（ト）図１３は平行凸起（１８）を上面板（３）上に平行に設け、これに同じ方向に図７、図１４のカード（１２）の区切り線（１４）がなる様に差し込む。
（チ）図１５に示す様に底板（１）の中心部より垂直方向に垂直凸起（１９）を設け透明ケース（１１）、カード（１２）に垂直凸起（１９）が通り抜ける穴（２０）をそれぞれ設けると移動体（１０）の動きが激しくなり見やすく出来る。
【符号の説明】
【０００８】１．底板    ２．垂直板    ３．上面板    ４．隙間    ５．固定用板    ６．表現容器
７．サイコロ    ８．上面透明板    ９．下面透明板    １０．移動体
１１．透明ケース    １２．カード    １３．数字及び文章    １４．区切り線
１５．半球面形状容器    １６．重り    １７．差し込み部    １８．平行凸起
１９．垂直凸起    ２０．穴
【図１】
2014030684.tif 000003
【図２】
2014030684.tif 000004
【図３】
2014030684.tif 000005
【図４】
2014030684.tif 000006
【図５】
2014030684.tif 000007
【図６】
2014030684.tif 000008
【図７】
2014030684.tif 000009
【図８】
2014030684.tif 000010
【図９】
2014030684.tif 000011
【図１０】
2014030684.tif 000012
【図１１】
2014030684.tif 000013
【図１２】
2014030684.tif 000014
【図１３】
2014030684.tif 000015
【図１４】
2014030684.tif 000016
【図１５】
2014030684.tif 000017
【図１６】
2014030684.tif 000018
【図１７】
2014030684.tif 000019
【図１８】
2014030684.tif 000020